(57)【要約】      （修正有）【課題】ガスバーナが長時間不使用であった場合の使用再開時に、ガスの供給が不十分な状態でイグナイタの放電動作がなされることを防ぎやすい構成を実現する。【解決手段】ガスコンロ１は、ガスバーナ５１，５２，５３と、イグナイタと、外部から点火操作が行われるスイッチ（点火操作部）、スイッチに対して点火操作が行われた場合に、対応するイグナイタに火花放電を行わせる制御回路と、を有する。制御回路は、ガスバーナ５１，５２，５３が所定の「長時間不使用状態」となった場合、スイッチ（点火操作部）に対して点火操作が行われてから対応するイグナイタで火花放電を行うまでの時間を、「長時間不使用状態」でない場合よりも長くする。【選択図】図１
2019039581.tif 000002
【特許請求の範囲】
【請求項１】
ガスバーナと、
火花放電を行い、前記ガスバーナを点火するイグナイタと、
外部から点火操作が行われる点火操作部と、
前記点火操作部に対して前記点火操作が行われた場合に、前記イグナイタに火花放電を行わせる制御回路と、
を有し、
前記制御回路は、前記ガスバーナが所定の長時間不使用状態となった場合、前記点火操作部に対して前記点火操作が行われてから前記イグナイタで火花放電を行うまでの時間を、前記所定の長時間不使用状態でない場合よりも長くするガスコンロ。
【請求項２】
前記所定の長時間不使用状態は、前記ガスバーナが消火状態のまま一定時間以上経過した状態である請求項１に記載のガスコンロ。
【発明の詳細な説明】
【技術分野】
【０００１】
本発明は、ガスコンロに関するものである。
【背景技術】
【０００２】
ビルトインコンロなどのガスコンロでは、使用者が点火操作を行った場合にイグナイタで火花放電がなされ、この火花放電によってガスバーナに供給されるガスが着火するようになっている。この種のガスコンロに関する技術としては特許文献１のような技術が提供されており、特許文献１の技術には、更に、イグナイタの点火タイミングを制御する思想が付加されている。
【先行技術文献】
【特許文献】
【０００３】
【特許文献１】特開２０１３−５３７７８号公報
【発明の概要】
【発明が解決しようとする課題】
【０００４】
ところで、この種のガスコンロは、ガスバーナにガスを導くためのガス配管が筐体内部に収容されており、このガス配管には、ガス供給を許容する開放状態とガス供給を遮断する遮断状態とに切り替える弁体が複数箇所に設けられている。例えば、ガス配管においてより上流側の位置に元電磁弁が設けられ、元電磁弁からガスバーナまでの経路に１又は複数の開閉弁が設けられた構成のガスコンロでは、点火状態のときに元電磁弁及び開閉弁をいずれも開放状態に切り替えることでガスバーナにガスが供給される状態とし、消火状態のときには元電磁弁及び開閉弁をいずれも遮断状態に切り替えることでガスバーナにガスが供給されない状態とすることができる。
【０００５】
このように構成されるガスコンロでは、ユーザによって消火操作がなされた場合に、ガス配管に設けられた複数の弁体を遮断状態に切り替えるように動作するが、ガスが流れている状態で複数の弁体を急に閉じることなるため、弁体間の経路には少量のガスが残留することになる。そして、消火状態となってからある程度の時間は弁体間の経路でガスが残留したままとなるため、この状態で次の点火操作が行われると、弁体間の経路に残留したガスが早期にガスバーナから放出されることになる。つまり、この場合、ガスバーナに近い位置に残留したガスが迅速に放出されるため、ユーザによって点火操作がなされてからイグナイタで放電が開始するまでの時間が短くても、ガスの供給が放電に間に合う可能性が高くなる。
【０００６】
しかし、ガスバーナが消火状態となってからの経過時間（即ち、ガスバーナが不使用状態となってからの経過時間）が長くなりすぎると、消火直後に弁体間の経路に残留していたガスが抜けてしまうことになる。このように弁体間の経路にガスが残留していない状態で点火操作が行われると、より上流側の経路に滞留したガス（より上流側の弁体で遮断されていたガス）を導かなければならないため、ガスバーナに十分なガスが供給された状態となるまで時間がかかってしまう。この場合、ユーザによって点火操作がなされてからイグナイタで放電が開始するまでの時間が短いと、ガスの供給が不十分な状態で無駄な放電がなされる虞がある。
【０００７】
本発明は、上述した課題の少なくとも一つを解決するためになされたものであり、ガスバーナが長時間不使用であった場合の使用再開時に、ガスの供給が不十分な状態でイグナイタの放電動作がなされることを防ぎやすい構成を実現することを目的とするものである。
【課題を解決するための手段】
【０００８】
本発明の一つであるガスコンロは
ガスバーナと、
火花放電を行い、前記ガスバーナを点火するイグナイタと、
外部から点火操作が行われる点火操作部と、
前記点火操作部に対して前記点火操作が行われた場合に、前記イグナイタに火花放電を行わせる制御回路と、
を有し、
前記制御回路は、前記ガスバーナが所定の長時間不使用状態となった場合、前記点火操作部に対して前記点火操作が行われてから前記イグナイタで火花放電を行うまでの時間を、前記所定の長時間不使用状態でない場合よりも長くする。
【発明の効果】
【０００９】
上記ガスコンロは、長時間不使用状態となった場合にイグナイタで火花放電を行うタイミングを、長時間不使用状態でないときよりも遅らせることができる。従って、長時間不使用状態となった後に点火操作が行われた場合に、ガスバーナに十分なガスが供給された状態となるまでの時間が遅延しても、イグナイタで火花放電が行われるタイミングには十分なガスが存在する可能性がより高くなる。
よって、ガスバーナが長時間不使用であった場合の使用再開時に、ガスの供給が不十分な状態でイグナイタの放電動作がなされることを防ぎやすくなる。
【図面の簡単な説明】
【００１０】
【図１】実施例１のガスコンロを概略的に例示する斜視図である。
【図２】実施例１のガスコンロの各ガスバーナへのガス供給路等を概念的に示す説明図である。
【図３】実施例１のガスコンロの電気的構成を概略的に例示するブロック図である。
【発明を実施するための形態】
【００１１】
本発明の好ましい形態を以下に例示する。
上記ガスコンロにおいて、「所定の長時間不使用状態」は、「ガスバーナが消火状態のまま一定時間以上経過した状態」であってもよい。
「ガスバーナが消火状態のまま一定時間以上経過した状態」のときには、そうでない場合と比較して、弁体間の経路にガスが残留する可能性がより低くなり、ガスバーナに十分なガスが供給された状態となるまでの時間が遅延する可能性がより高くなる。よって、このガスバーナによれば、「ガスバーナが消火状態のまま一定時間以上経過した状態」の後の使用再開時に、ガスの供給が不十分な状態でイグナイタの放電動作がなされることをより効果的に防ぎやすくなる。
【００１２】
＜実施例１＞
以下、実施例１について、図面を参照して説明する。
図１に示すガスコンロ１は、調理鍋等の調理器具を加熱可能なビルトインコンロとして構成されている。ガスコンロ１は、コンロ本体１Ａの上面を構成する天板２（トッププレート）から露出するように、右こんろ部４Ａ、左こんろ部４Ｂ、がそれぞれ設けられ、その左右のこんろ部４Ａ，４Ｂの間で後方寄りに小こんろ部４Ｃが設けられている。天板２の下方においてコンロ本体１Ａの内部中央付近にはグリル３が設けられている。グリル３は、被調理物を収納してグリルバーナ（ガスバーナ５４：図２）で加熱調理するグリル庫を備えており、このグリル庫は、コンロ本体１Ａの前面部に設けられたグリル扉３Ｂによって開閉可能とされている。
【００１３】
図１のように、右こんろ部４Ａ、左こんろ部４Ｂ、小こんろ部４Ｃ、グリル３には、図２で示すガスバーナ５１，５２，５３，５４がそれぞれ設けられている。図２のように、複数のガスバーナ５１，５２，５３，５４には、複数の分岐供給路６１，６２，６３，６４がそれぞれ接続され、これら分岐供給路６１，６２，６３，６４は、共通供給路６０から分岐する構成をなす。共通供給路６０は、ガスバーナ５１，５２，５３，５４への共通のガス経路であり、複数の分岐供給路６１，６２，６３，６４は、共通供給路６０から分岐するとともに各ガスバーナ５１，５２，５３，５４に向けてガスを導くように配設された供給路である。共通供給路６０には、共通供給路６０を開閉する元電磁弁Ｎ１が設けられる。元電磁弁Ｎ１は、例えば公知の電磁弁として構成され、制御回路１０からの制御信号に応じて、共通供給路６０でのガス供給を許容する開状態と共通供給路６０でのガス供給を遮断する閉状態に切り替えられるようになっている。共通供給路６０から分岐してガスバーナ５１に続く分岐供給路６１には、分岐供給路６１を開閉可能な電磁弁（安全弁）５１Ｇと、分岐供給路６１を開閉可能な閉止弁５１Ｆと、ガスバーナ５１へのガス供給量を調整可能な火力調整弁５１Ｅとが設けられている。共通供給路６０から分岐してガスバーナ５２に続く分岐供給路６２には、分岐供給路６２を開閉可能な電磁弁（安全弁）５２Ｇと、分岐供給路６２を開閉可能な閉止弁５２Ｆと、ガスバーナ５２へのガス供給量を調整可能な火力調整弁５２Ｅとが設けられている。共通供給路６０から分岐してガスバーナ５３に続く分岐供給路６３には、分岐供給路６３を開閉可能な電磁弁（安全弁）５３Ｇと、分岐供給路６３を開閉可能な閉止弁５３Ｆと、ガスバーナ５３へのガス供給量を調整可能な火力調整弁５３Ｅとが設けられている。
【００１４】
グリル３のガスバーナ５４（グリルバーナ）は、グリル３内において上側に配置される上バーナ５４Ａと、グリル３内において上バーナ５４Ａよりも下側に配置される下バーナ５４Ｂとを備える。共通供給路６０から分岐してガスバーナ５４にガスを導く分岐供給路６４には、更に、分岐供給路６４から分岐して上バーナ５４Ａにガスを導く第１供給路６５Ａと、分岐供給路６４から分岐して下バーナ５４Ｂにガスを導く第２供給路６５Ｂとが接続されている。分岐供給路６４には、分岐供給路６４を開閉可能な電磁弁（安全弁）５４Ｇと閉止弁５４Ｆとが設けられ、第１供給路６５Ａには複数の電磁弁５４Ｈ，５４Ｊが設けられ、第２供給路６５Ｂには電磁弁５４Ｋが設けられている。
【００１５】
図１に示すように、右こんろ部４Ａ、左こんろ部４Ｂ、小こんろ部４Ｃ、グリル３にそれぞれ対応するように４つの回転操作部６Ａ，６Ｂ，６Ｃ，６Ｄが設けられている。これら回転操作部６Ａ，６Ｂ，６Ｃ，６Ｄは点火操作部の一例に相当し、第１の回転操作部６Ａ、第４の回転操作部６Ｄは、筐体部の前面部の一部を構成する右側の前面パネル７Ａから露出するように設けられ、第２の回転操作部６Ｂ、第３の回転操作部６Ｃは、筐体部の前面部の一部を構成する左側の前面パネル７Ｂから露出するように設けられている。
【００１６】
第１の回転操作部６Ａは、右こんろ部４Ａの点火、消火、火力調整を行うものであり、押圧操作可能に構成され、且つ回転操作可能に構成されている。例えば、消火時には、図１の実線のように、円筒状に構成された回転操作部６Ａの前面部が後方に退避するようになっている。そして、この状態から前面部を押圧することで、右こんろ部４Ａの点火がなされ、二点鎖線６Ａ’で示すように前面部が消火時よりも前方位置になるように回転操作部６Ａが突出するようになっている。このような突出状態のときに回転操作部６Ａを一方の回転方向に回転させることで、対応する右こんろ部４Ａの火力を増大することができ、逆に、回転操作部６Ａを他方の回転方向に回転させることで、対応する右こんろ部４Ａの火力を減少することができるようになっている。また、二点鎖線６Ａ’で示す突出状態のときに前面部を押圧すると、実線で示す退避状態に戻り、このときには右こんろ部４Ａの消火がなされる。回転操作部６Ｂは、左こんろ部４Ｂの点火、消火、火力調整を行い、回転操作部６Ｃは、小こんろ部４Ｃの点火、消火、火力調整を行うものである。これらは対象が異なるだけで、基本的な構造、機能は回転操作部６Ａと同様である。
【００１７】
第４の回転操作部６Ｄは、グリル３の点火、消火、火力調整を行うものであり、押圧操作可能に構成され、且つ回転操作可能に構成されている。例えば、消火時には、図１の実線のように、円筒状に構成された回転操作部６Ｄの前面部が後方に退避するようになっている。この退避状態のときに回転操作部６Ｄの前面部が押圧されると、制御回路７０がその押圧を検出し、ガスバーナ５４の点火を行うようになっている。また、退避状態のときに回転操作部６Ｄの前面部が押圧されると、二点鎖線６Ｄ’のように前面部が消火時よりも前方位置になるように回転操作部６Ｄが突出状態（前面パネル７Ａよりも前側に突出した状態）に変位する。このような突出状態のときに回転操作部６Ｄに対して回転操作がなされると、制御回路１０は、ガスバーナ５４の火力状態を回転操作部６Ｄの回転角度に対応した状態とするように電磁弁を制御する。具体的には、回転操作部６Ｄの回転角度を検出する図示しない検出部が設けられており、検出部は、回転操作部６Ｄの回転角度が第１の角度範囲、第２の角度範囲、第３の角度範囲、第４の角度範囲のいずれに該当するかを検出し得る。制御回路１０は、電磁弁５４Ｈ，５４Ｊ，５４Ｋの開閉を制御し得るようになっており、検出部によって検出される回転操作部６Ｄの回転角度に応じて電磁弁５４Ｈ，５４Ｊ，５４Ｋの開閉の組み合わせを定める。
【００１８】
図２のように、上バーナ５４Ａにガスを導く主経路として第１供給路６５Ａが構成され、この第１供給路６５Ａに設けられた電磁弁５４Ｊを迂回するように、電磁弁５４Ｊの経路と並列の経路であるバイパス路６６Ａが設けられている。電磁弁５４Ｈが開放した状態で電磁弁５４Ｊが閉じているときには分岐供給路６４によって導かれたガスはバイパス路６６Ａを通って上バーナ５４Ａに供給される。この場合、上バーナ５４Ａの火力は相対的に弱い状態（弱状態）となる。また、電磁弁５４Ｈ，５４Ｊがいずれも開いているときには分岐供給路６４によって導かれたガスは第１供給路６５Ａ又はバイパス路６６Ａを通って上バーナ５４Ａに供給される。この場合、上バーナ５４Ａの火力は相対的に強い状態（強状態）となる。また、下バーナ５４Ｂにガスを導く主経路として第２供給路６５Ｂが構成され、この第２供給路６５Ｂに設けられた電磁弁５４Ｋを迂回するように、電磁弁５４Ｋの経路と並列の経路であるバイパス路６６Ｂが設けられている。電磁弁５４Ｋが閉じているときには分岐供給路６４によって導かれたガスはバイパス路６６Ｂを通って下バーナ５４Ｂに供給される。この場合、下バーナ５４Ｂでの火力は相対的に弱い状態（弱状態）となる。また、電磁弁５４Ｋが開いているときには分岐供給路６４によって導かれたガスは第２供給路６５Ｂ又はバイパス路６６Ｂを通って下バーナ５４Ｂに供給される。この場合、下バーナ５４Ｂでの火力は相対的に強い状態（強状態）となる。
【００１９】
図１の例では、回転操作部６Ａ，６Ｂ，６Ｃ，６Ｄのいずれも、使用者が押す毎に退避位置と突出位置とに切り替わるようになっている。そして、図３の電気的構成で示すように、回転操作部６Ａ，６Ｂ，６Ｃ，６Ｄにそれぞれ対応するようにスイッチ３０Ａ，３０Ｂ，３０Ｃ，３０Ｄがそれぞれ設けられ、スイッチ３０Ａ，３０Ｂ，３０Ｃ，３０Ｄにそれぞれ対応するように点火信号入力回路４０Ａ，４０Ｂ，４０Ｃ，４０Ｄがそれぞれ設けられている。スイッチ３０Ａ，３０Ｂ，３０Ｃ，３０Ｄは、いずれも点火スイッチとして機能し、回転操作部６Ａ，６Ｂ，６Ｃ，６Ｄのいずれにおいても、回転操作部が退避位置（消火位置）へと操作されることに応じて、対応するスイッチがオフ状態となり、このスイッチに対応する点火信号入力回路から制御回路１０にオフ信号が与えられる。また、回転操作部が突出位置（点火位置）へと操作されることに応じて、対応するスイッチがオン状態となり、このスイッチに対応する点火信号入力回路から制御回路１０にオン信号が与えられる。例えば、図１のように、回転操作部６Ｄが退避位置にあるときにはスイッチ３０Ｄがオフ状態となり、このときには、点火信号入力回路４０Ｄが制御回路１０に対してオフ状態を示す信号（オフ信号）を入力する。また、図１の二点鎖線６Ｄ’のように回転操作部６Ｄが突出位置にあるときにはスイッチ３０Ｄがオン状態となり、このときには、点火信号入力回路４０Ｄが制御回路１０にオン状態を示す信号（オン信号）を入力する。
【００２０】
更に、回転操作部６Ａ，６Ｂ，６Ｃ，６Ｄにそれぞれ対応するように変位検出部３２Ａ，３２Ｂ，３２Ｃ，３２Ｄがそれぞれ設けられ、変位検出部３２Ａ，３２Ｂ，３２Ｃ，３２Ｄにそれぞれ対応するように火力信号入力回路４２Ａ，４２Ｂ，４２Ｃ，４２Ｄがそれぞれ設けられている。回転操作部６Ａ，６Ｂ，６Ｃ，６Ｄのいずれにおいても、回転操作部の変位（回転位置）を対応する変位検出部が検出し、この変位検出部に対応する火力信号入力回路から変位検出部が検出した変位（回転位置）に応じた信号が制御回路１０に与えられる。例えば、回転操作部６Ｄの変位（回転位置）を対応する変位検出部３２Ｄが検出し、この変位検出部３２Ｄに対応する火力信号入力回路４２Ｄから制御回路１０に対し、変位検出部３２Ｄが検出した変位（回転位置）に応じた信号が与えられる。
【００２１】
また、図２、図３のように、各ガスバーナ５１，５２，５３，５４Ａ，５４Ｂのそれぞれに隣接して熱電対５１Ｃ，５２Ｃ，５３Ｃ，５４Ｃ、５４Ｄがそれぞれ設けられ、熱電対５１Ｃ，５２Ｃ，５３Ｃ，５４Ｃ、５４Ｄのそれぞれに対応して温度信号入力回路４４Ａ，４４Ｂ，４４Ｃ，４４Ｄ，４４Ｅがそれぞれ設けられている。温度信号入力回路４４Ａ，４４Ｂ，４４Ｃ，４４Ｄ，４４Ｅはいずれも、対応する熱電対で生じた起電力に応じた信号を制御回路１０に入力する。制御回路１０は、いずれかの熱電対５１Ｃ，５２Ｃ，５３Ｃ，５４Ｃ，５４Ｄの起電力が所定の第１閾値（点火閾値）以上である場合に、その熱電対に対応するガスバーナが点火していると判定し、所定の第２閾値（消火閾値）以下である場合に、その熱電対に対応するガスバーナが消火していると判定する。
【００２２】
各ガスバーナ５１，５２，５３，５４のそれぞれに隣接してイグナイタ２６Ａ，２６Ｂ，２６Ｃ，２６Ｄがそれぞれ設けられ、イグナイタ２６Ａ，２６Ｂ，２６Ｃ，２６Ｄのそれぞれに対応してイグナイタ回路４６Ａ，４６Ｂ，４６Ｃ，４６Ｄがそれぞれ設けられている。例えば、ガスバーナ５１に対応してイグナイタ２６Ａが設けられ、イグナイタ回路４６Ａは、スイッチ３０Ａの点火操作に応じてイグナイタ２６Ａを駆動し、イグナイタ２６Ａで火花を放電させてガスバーナ５１に点火する。同様に、ガスバーナ５４（グリルバーナ）に対応してイグナイタ２６Ｄが設けられ、イグナイタ回路４６Ｄは、スイッチ３０Ｄの点火操作に応じてイグナイタ２６Ｄを駆動し、イグナイタ２６Ｄで火花を放電させてガスバーナ５４（グリルバーナ）に点火する。ガスバーナ５２，５３に対応するイグナイタ２６Ｂ，２６Ｃの駆動も同様である。
【００２３】
制御回路１０は、例えばマイクロコンピュータとして構成されており、図３のように、ＣＰＵ１０Ａ、ＲＯＭ１０Ｂ、ＲＡＭ１０Ｃなどを備え、更に、図示しないタイマ、Ｉ／Ｏインタフェイスなどを備える。また、図示はしていないが、制御回路１０の内部又は外部に不揮発性メモリを設けてもよい。この制御回路１０は、上述した各電磁弁（図３では図示を省略）、イグナイタ２６Ａ，２６Ｂ，２６Ｃ，２６Ｄ、複数の表示装置２１，２２，２３，２４、ブザー装置１２、音声装置１４などを制御し得る。図１のように、表示装置２１，２２，２３，２４のそれぞれが、回転操作部６Ａ，６Ｂ，６Ｃ，６Ｄのそれぞれに対応して設けられている。表示装置２１，２２，２３，２４はいずれも、ＬＥＤなどの表示部を複数備えるとともに表示部を駆動する駆動回路をも備える。例えば、回転操作部６Ｄに対応する表示装置２４は、回転操作部６Ｄの上側近くに設けられた６つの表示部と、これら表示部を駆動する駆動回路とを有してなる。ブザー装置１２は、圧電ブザー装置などの公知のブザー装置として構成され、例えば制御回路１０から駆動信号が与えられた場合にブザー鳴動動作を行う。音声装置１４は、メロディ、メッセージなどの音声を発する装置であり、例えば、スピーカやスピーカに対して音声信号を与える駆動回路などを備え、制御回路１０からの指示に対応した音声を発するように動作する。また、上述した電気部品を含め、様々な電気部品に電力を供給するように電源回路４８が設けられている。電源回路４８は電池ボックスに収容された２つの乾電池４９からの電力供給を受け、所定の電源電圧を生成する機能を有しており、電源回路４８で生成された電源電圧は、図示しない経路を介して様々な電気部品に供給される。
【００２４】
次に、制御回路１０によってなされる点火制御について説明する。
回転操作部６Ａ，６Ｂ，６Ｃ，６Ｄのいずれかに対して点火操作（退避位置にあるときに前面部を押圧する操作）がなされた場合、その点火操作がなされた回転操作部は突出位置に変位して突出位置で保持される。そして、スイッチ３０Ａ，３０Ｂ，３０Ｃ，３０Ｄのうち、点火操作がなされた回転操作部に対応するスイッチは、回転操作部が突出位置に変位することに応じてオフ状態からオン状態に切り替わり、このスイッチに対応する点火信号入力回路から制御回路１０に入力される信号はオフ信号からオン信号に切り替わる。そして、このように点火信号入力回路から制御回路１０に入力される信号がオフ信号からオン信号に切り替わると、制御回路１０は、点火信号入力回路から入力される信号がオン信号に切り替わった時点（又は、切り替わった直後）で「所定の長時間不使用状態」となっているか否かを判断する。具体的には、点火信号入力回路から入力される信号がオフ信号からオン信号に切り替わった時点において「ガスバーナ５１，５２，５３，５４の全てが消火状態となってから一定時間経過した状態」となっているか否かを判断し、該当しない場合（即ち、「ガスバーナ５１，５２，５３，５４の全てが消火状態となってから一定時間経過した状態で、点火信号入力回路から入力される信号がオフ信号からオン信号に切り替わった場合」ではない場合）、点火操作に対応するイグナイタ（即ち、その点火操作で点火させようとするガスバーナに近接して配置されたイグナイタ）を第１のタイミングで放電させる。第１のタイミングとは、点火操作が行われてから所定の一定時間（第１時間）が経過したタイミングである。一方、該当する場合、（即ち、「ガスバーナ５１，５２，５３，５４の全てが消火状態となってから一定時間経過した状態で、点火信号入力回路から入力される信号がオフ信号からオン信号に切り替わった場合」）、点火操作に対応するイグナイタを、第１のタイミングよりも遅い第２のタイミングで放電させる。第２のタイミングとは、点火操作が行われてから第２時間（第１時間よりも長い一定時間）が経過したタイミングである。
【００２５】
なお、本実施例では、「ガスバーナ５１，５２，５３，５４の全てが消火状態となってから一定時間経過した状態」を「所定の長時間不使用状態」としているため、点火操作に応じて「所定の長時間不使用状態」であるか否かを判断するにあたり、その点火操作の対象となるガスバーナ以外の他のガスバーナが使用状態（点火状態）である場合、「所定の長時間不使用状態」ではないと判断することになる。つまり、点火操作の対象となるガスバーナが長い時間使用されていなかったとしても、他のガスバーナの使用が継続していれば、「所定の長時間不使用状態」とはみなさないのである。
【００２６】
例えば、ガスバーナ５１に対応する回転操作部６Ａに対して点火操作（退避位置にあるときに前面部を押圧する操作）がなされた場合、その点火操作がなされた回転操作部６Ａは突出位置に変位して突出位置で保持される。そして、点火操作がなされた回転操作部６Ａが突出位置に変位することに応じて、回転操作部６Ａに対応するスイッチ３０Ａがオフ状態からオン状態に切り替わり、このスイッチ３０Ａに対応する点火信号入力回路４０Ａから制御回路１０に入力される信号はオフ信号からオン信号に切り替わる。このように点火信号入力回路４０Ａから入力される信号がオフ信号からオン信号に切り替わると、制御回路１０は、点火信号入力回路４０Ａから入力される信号がオフ信号からオン信号に切り替わった時点において「所定の長時間不使用状態」となっているか否かを判断する。具体的には、点火信号入力回路４０Ａから入力される信号がオフ信号からオン信号に切り替わった時点において、「ガスバーナ５１，５２，５３，５４の全てが消火状態となってから一定時間経過した状態」となっているか否かを判断し、該当しない場合（即ち、「ガスバーナ５１，５２，５３，５４の全てが消火状態となってから一定時間経過した状態で、点火信号入力回路４０Ａから入力される信号がオフ信号からオン信号に切り替わった場合」ではない場合）、回転操作部６Ａの点火操作に対応するイグナイタ２６Ａを第１のタイミングで放電させる。即ち、回転操作部６Ａに対して点火操作が行われてから所定の一定時間（第１時間）が経過したタイミングでイグナイタ２６Ａを放電させる。一方、該当する場合、（即ち、「ガスバーナ５１，５２，５３，５４の全てが消火状態となってから一定時間経過した状態で、点火信号入力回路４０Ａから入力される信号がオフ信号からオン信号に切り替わった場合」）、回転操作部６Ａの点火操作に対応するイグナイタ２６Ａを、第１のタイミングよりも遅い第２のタイミングで放電させる。即ち、回転操作部６Ａに対して点火操作が行われてから第２時間（第１時間よりも長い一定時間）が経過したタイミングでイグナイタ２６Ａを放電させる。なお、制御回路１０は、第１のタイミングよりも第２のタイミングを遅く設定し得る構成であればよく、上述の第１時間や第２時間は、タイマ回路などによって計測してもよく、第２時間を第１時間よりも長く確保し得る方法であればタイマ回路などによって計測しなくてもよい。
【００２７】
ここで、本構成の効果を例示する。
本構成のガスコンロ１は、「所定の長時間不使用状態」となった場合にイグナイタで火花放電を行うタイミングを、「所定の長時間不使用状態」でないときよりも遅らせることができる。従って、「所定の長時間不使用状態」となった後に点火操作が行われた場合に、ガスバーナに十分なガスが供給された状態となるまでの時間が遅延しても、イグナイタで火花放電が行われるタイミングには点火対象となるガスバーナに十分なガスが存在する可能性がより高くなる。また、仮に、初回の放電時にガス供給が間に合っていなくても、その後に点火不能な状態が継続しにくくなる。
【００２８】
このように、ガスバーナが長時間不使用であった場合の使用再開時に、ガスの供給が不十分な状態でイグナイタの放電動作がなされることを防ぎやすくなる。
【００２９】
また、ガスコンロ１では、「ガスバーナが消火状態のまま一定時間以上経過した状態」を「所定の長時間不使用状態」としている。「ガスバーナが消火状態のまま一定時間以上経過した状態」のときには、そうでない場合と比較して、弁体間の経路にガスが残留する可能性がより低くなり、ガスバーナに十分なガスが供給された状態となるまでの時間が遅延する可能性がより高くなる。よって、このガスバーナによれば、「ガスバーナが消火状態のまま一定時間以上経過した状態」の後の使用再開時に、ガスの供給が不十分な状態でイグナイタの放電動作がなされることをより効果的に防ぎやすくなる。
【００３０】
＜他の実施例＞
本発明は上記記述及び図面によって説明した実施例に限定されるものではなく、例えば次のような例も本発明の技術的範囲に含まれる。
【００３１】
実施例１では、ガスバーナ５１，５２，５３，５４が設けられたガスコンロ１を例示したが、ガスバーナの数はこれよりも多くても少なくてもよい。例えば、１つのガスバーナのみが設けられ、１つのイグナイタのみが設けられるようなガスコンロなどであってもよい。
【００３２】
実施例１では、「所定の長時間不使用状態」として、「全てのガスバーナが消火状態のまま一定時間以上経過した状態」を例示したが、点火操作が行われた場合に、その点火操作の対象となったガスバーナの不使用が一定時間以上経過している状態を「所定の長時間不使用状態」とし、この場合に、その点火操作の対象となったガスバーナに対応するイグナイタの放電タイミングを基準タイミングよりも遅らせてもよい。
【００３３】
実施例１では、「所定の長時間不使用状態」として、「全てのガスバーナが消火状態のまま一定時間以上経過した状態」を例示したが、ガスコンロ１において電気的情報を入力し得るように設けられた複数の操作部のいずれに対しても操作がなされない状態が一定時間以上経過した状態を「所定の長時間不使用状態」としてもよい。
【００３４】
実施例１では、「所定の長時間不使用状態」として、「全てのガスバーナが消火状態のまま一定時間以上経過した状態」を例示したが、例えば、電源回路４８から制御回路１０への電力供給が遮断した状態を「所定の長時間不使用状態」としてもよい。この場合、電源回路４８から制御回路１０への電力供給を遮断する条件は様々に設定することができ、ガスコンロ１において所定操作があった場合に電源回路４８から制御回路１０への電力供給を遮断してもよく、ガスコンロ１において電気的情報を入力し得るように設けられた複数の操作部のいずれに対しても操作がなされない状態が一定時間以上経過した場合に、電源回路４８から制御回路１０への電力供給を遮断してもよい。
【符号の説明】
【００３５】
１…ガスコンロ
１０…制御回路
６Ａ，６Ｂ，６Ｃ，６Ｄ…回転操作部（点火操作部）
２６Ａ，２６Ｂ，２６Ｃ，２６Ｄ…イグナイタ
５１，５２，５３，５４…ガスバーナ
【図１】
2019039581.tif 000003
【図２】
2019039581.tif 000004
【図３】
2019039581.tif 000005